(57)【要約】  本発明に係る床置形空気調和機の室内機は、前面側熱交換器及び背面側熱交換器によって側面視Ｖ字状に構成された熱交換器を有する室内機に対して、背面側熱交換器を遮風板に置き換え、筐体等を共通化したものである。本発明に係る床置形空気調和機の室内機の遮風板は、後面におけるドレンパンの凹部の後端部より後方となる範囲に、断熱材を有する。
2017042937.tif 000002
【特許請求の範囲】
【請求項１】
前面下部に形成された吸込口、前面上部に形成された吹出口、及び、前記吸込口と前記吹出口とを連通する風路を有する筐体と、
前記風路内に設けられた熱交換器と、
前記風路内において前記熱交換器の後方に設けられており、前記熱交換器と共に側面視された際にＶ字状となるように配置された遮風板と、
前記風路内において、前記熱交換器及び前記遮風板に対して空気流れの下流側に設けられたクロスフローファンと、
前記熱交換器の下端部及び前記遮風板の下端部の下方に設けられ、前記熱交換器及び前記遮風板に発生した結露水を受ける凹部が形成されたドレンパンと、
を備え、
前記遮風板は、後面における前記凹部の後端部より後方となる範囲に、結露水の落下を防止する防止構造を有する床置形空気調和機の室内機。
【請求項２】
前記防止構造は、前記遮風板に設けられた断熱材である請求項１に記載の床置形空気調和機の室内機。
【請求項３】
前記防止構造は、前記遮風板に設けられた吸水材である請求項１又は請求項２に記載の床置形空気調和機の室内機。
【請求項４】
前記防止構造は、前記遮風板の前記後面に上下方向に沿って形成され、横方向に並んで配置された複数の溝である請求項１〜請求項３のいずれか一項に記載の床置形空気調和機の室内機。
【請求項５】
前記遮風板は、前記後面における前記凹部の後端部より前方となる範囲に、上下方向に沿って形成され、横方向に並んで配置された複数の溝を有する請求項１〜請求項４のいずれか一項に記載の床置形空気調和機の室内機。
【発明の詳細な説明】
【技術分野】
【０００１】
本発明は、床置形空気調和機の室内機に関し、特に、冷凍能力が異なる室内機において筐体等の共通化を図る技術に関するものである。
【背景技術】
【０００２】
従来、壁掛形空気調和機の室内機が知られている。この従来の壁掛形空気調和機の室内機は、上部に形成された吸込口、前面下部に形成された吹出口、及び、吸込口と吹出口とを連通する風路を有する筐体を備えている。そして、筐体の風路内には、熱交換器及びクロスフローファンが設けられている。詳しくは、熱交換器は、前面側熱交換器及び背面側熱交換器を備えている。そして、側面視逆Ｖ字状となるように、前面側熱交換器及び背面側熱交換器が、風路内に配置されている。クロスフローファンは、風路内において、熱交換器よりも空気流れの下流側となる位置、つまり、熱交換器よりも下方に配置されている。【０００３】
また、従来の壁掛形空気調和機の室内機においては、冷凍能力が異なる室内機において筐体等の共通化を図る技術が提案されている。詳しくは、上述した室内機よりも冷凍能力が小さい室内機において、上述した室内機と筐体等を共通化するため、背面側熱交換器を遮風板に置き換える技術が提案されている（特許文献１参照）。これにより、熱交換器の容量を変更できるので、冷凍能力が異なる室内機において、筐体等の共通化を図ることができる。【０００４】
冷房運転時、遮風板は、一方の面が風路内に吸入された室内空気（熱交換器で冷却される前の空気）と接し、他方の面が熱交換器で冷却された後の冷却空気と接する。このため、冷却空気で冷やされた遮風板に室内空気が接した際、室内空気が遮風板で冷やされて露点に達すると、遮風板における室内空気と接する面には、結露水が発生する。【０００５】
ここで、上述のように、壁掛形空気調和機の室内機の筐体においては、上部に吸込口が形成され、前面下部に吹出口が形成されている。つまり、風路内においては、上方から下方に向かって空気が流れることとなる。このため、冷房運転時、壁掛形空気調和機の室内機に設けられた遮風板は、上面側となる前面に結露水が発生することとなる。したがって、従来の壁掛形空気調和機の室内機においては、遮風板の下端部の下方にドレンパンが配置されている。これにより、遮風板の前面に発生した結露水は、遮風板を滑り落ち、ドレンパンに回収されることとなる。【０００６】
なお、従来の壁掛形空気調和機の室内機は、前面側熱交換器の下端部の下方にも、ドレンパンが配置されている。前面側熱交換器で発生した結露水は、前面側熱交換器のフィン間に表面張力によって保持されつつ、重力によって下方に落ちていき、ドレンパンに回収されることとなる。
【先行技術文献】
【特許文献】
【０００７】
【特許文献１】特開平１０−２６３９９号公報
【発明の概要】
【発明が解決しようとする課題】
【０００８】
従来、空気調和機の室内機として、壁掛形以外にも、床置形のものも提案されている。このような床置形空気調和機の室内機においては、背面側熱交換器を遮風板に置き換え、冷凍能力が異なる室内機において筐体等の共通化を図ろうとした場合、以下のような課題が発生し、筐体等を共通化できないという課題があった。【０００９】
詳しくは、従来の床置形空気調和機の室内機は、前面下部に形成された吸込口、前面上部に形成された吹出口、及び、吸込口と吹出口とを連通する風路を有する筐体を備えている。そして、筐体の風路内には、熱交換器及びクロスフローファンが設けられている。また、熱交換器は、前面側熱交換器及び背面側熱交換器を備えている。そして、側面視Ｖ字状となるように、前面側熱交換器及び背面側熱交換器が、風路内に配置されている。クロスフローファンは、風路内において、熱交換器よりも空気流れの下流側となる位置、つまり、熱交換器よりも上方に配置されている。【００１０】
このように構成された床置形空気調和機の室内機は、風路内において、下方から上方に向かって空気が流れることとなる。つまり、このように構成された床置形空気調和機の室内機において、背面側熱交換器を遮風板に置き換えた場合、当該遮風板は、上面側となる前面が前面側熱交換器で冷却された後の冷却空気と接し、下面側となる後面が風路内に吸入された室内空気（前面側熱交換器で冷却される前の空気）と接することとなる。つまり、遮風板の下面側となる後面に結露水が発生することとなる。【００１１】
遮風板の下面側となる後面に発生した結露水は、表面張力によって遮風板に保持されている状態においては、そのままの位置に留まるか、あるいは、重力によって遮風板にくっついたまま下方へ移動する。しかしながら、結露水に作用する重力が表面張力を上回った際、該結露水は、遮風板から離れて下方へ落下してしまう。このため、床置形空気調和機の室内機において、背面側熱交換器を遮風板に単純に置き換えた場合、遮風板の下方の全域にわたって、ドレンパンを配置しなければならない。しかしながら、このようにドレンパンを配置した場合、冷凍能力が大きい室内機として筐体及び前面側熱交換器を共用するために、遮風板を背面側熱交換器と置き換えた際、吸込口から背面側熱交換器に導かれる室内空気を当該ドレンパンが遮ってしまい、背面側熱交換器で室内熱交換器を冷却することができない。【００１２】
したがって、従来の床置形空気調和機の室内機においては、冷凍能力が異なる室内機において筐体等の共通化を図ろうとしても、背面側熱交換器を遮風板に単純に置き換えただけでは、筐体等を共通化できないという課題があった。【００１３】
本発明は、上記のような課題を解決するためになされたものであり、冷凍能力が異なる室内機において、筐体等の共通化を図ることができる床置形空気調和機の室内機を得ることを目的とする。
【課題を解決するための手段】
【００１４】
本発明に係る床置形空気調和機の室内機は、前面下部に形成された吸込口、前面上部に形成された吹出口、及び、前記吸込口と前記吹出口とを連通する風路を有する筐体と、前記風路内に設けられた熱交換器と、前記風路内において前記熱交換器の後方に設けられており、前記熱交換器と共に側面視された際にＶ字状となるように配置された遮風板と、前記風路内において、前記熱交換器及び前記遮風板に対して空気流れの下流側に設けられたクロスフローファンと、前記熱交換器の下端部及び前記遮風板の下端部の下方に設けられ、前記熱交換器及び前記遮風板に発生した結露水を受ける凹部が形成されたドレンパンと、を備え、前記遮風板は、後面における前記凹部の後端部より後方となる範囲に、結露水の落下を防止する防止構造を有するものである。
【発明の効果】
【００１５】
本発明に係る床置形空気調和機の室内機の遮風板においては、上面側となる前面が、前面側熱交換器で冷却された後の冷却空気と接する。また、遮風板の下面側となる後面が、風路内に吸入された室内空気（熱交換器で冷却される前の空気）と接する。すなわち、遮風板の後面に結露水が発生することとなる。この際、本発明に係る床置形空気調和機の室内機の遮風板には、結露水が発生する後面において、結露水を受けるドレンパンの凹部の後端部より後方となる範囲に、結露水の落下を防止する防止構造を有する。このため、本発明に係る床置形空気調和機の室内機においては、遮風板の下方の全域にわたってドレンパンを配置しなくとも、遮風板の下端部の下方にドレンパンを設けるだけでよい。【００１６】
したがって、本発明に係る床置形空気調和機の室内機においては、遮風板を背面側熱交換器に置き換え、熱交換器を冷凍能力が大きい室内機の前面側熱交換器として共用し、筐体を冷凍能力が大きい室内機の筐体として共用した場合、吸込口から背面側熱交換器に導かれる室内空気を当該ドレンパンが遮ってしまうことを防止できる。このため、本発明に係る床置形空気調和機の室内機は、冷凍能力が異なる室内機において、筐体等の共通化を図ることができる。
【図面の簡単な説明】
【００１７】
【図１】大能力型の室内機２００を示す側面縦断面図である。
【図２】大能力型の室内機２００の熱交換器ユニット２１０を示す斜視図である。
【図３】本発明の実施の形態１に係る室内機１００を示す側面縦断面図である。
【図４】本発明の実施の形態１に係る室内機１００の熱交換器ユニット１０を示す斜視図である。
【図５】本発明の実施の形態１に係る室内機１００の遮風板２０を示す斜視図である。
【図６】大能力型の室内機２００の熱交換器ユニット２１０を示す側面図である。
【図７】本発明の実施の形態１に係る室内機１００の熱交換器ユニット１０を示す側面図である。
【図８】本発明の実施の形態２に係る室内機１００を示す側面縦断面図である。
【図９】本発明の実施の形態３に係る室内機における、遮風板２０の後面２３の範囲２３ａを示す要部拡大図である。
【図１０】本発明の実施の形態４に係る室内機１００の熱交換器ユニット１０を示す斜視図である。
【発明を実施するための形態】
【００１８】
本発明は、冷凍能力が異なる室内機において、筐体等の共通化を図ることができる床置形空気調和機の室内機を提供するものである。以下では、冷凍能力が大きい室内機として、前面側熱交換器及び背面側熱交換器を有し、側面視Ｖ字状に配置された熱交換器を備えた室内機を、大能力型の室内機と称する。また、冷凍能力が小さい室内機として、当該大能力型の室内機における背面側熱交換器を遮風板に置き換えた室内機が、本発明に係る床置形空気調和機の室内機である。
以下、各実施の形態において、本発明に係る室内機の一例を紹介する。
【００１９】
実施の形態１．
本実施の形態１では、本実施の形態１に係る室内機を説明する前に、まず大能力型の室内機について説明する。そして、大能力型の室内機の説明の後、本実施の形態１に係る室内機を説明することとする。
【００２０】
図１は、大能力型の室内機２００を示す側面縦断面図である。また、図２は、大能力型の室内機２００の熱交換器ユニット２１０を示す斜視図である。
なお、図１に示す大能力型の室内機２００は、紙面の左側が前面側となり、紙面の右側が背面側となっている。また、図２は、室内機２００の背面側から見た熱交換器ユニット２１０の斜視図である。
【００２１】
大能力型の室内機２００は、床置形空気調和機の室内機であり、略直方体の筐体１を備えている。この筐体１は、前面下部に形成された吸込口２、前面上部に形成された吹出口３、及び、吸込口２と吹出口３とを連通する風路４を有している。そして、筐体１の風路４内には、熱交換器１１、クロスフローファン５及びドレンパン３０が設けられている。
【００２２】
熱交換器１１は、前面側熱交換器１２及び背面側熱交換器１３を備えている。前面側熱交換器１２及び背面側熱交換器１３は、フィンチューブ型熱交換器であり、所定の間隔を介して筐体１の左右方向に並設された複数のフィンと、これらフィンの並設方向にこれらフィンを貫通し、内部に冷媒が流入する複数の伝熱管と、を備えている。また、前面側熱交換器１２は、上方から下方にかけて筐体１の前面側から背面側に傾斜するように配置されている。背面側熱交換器１３は、上方から下方にかけて筐体１の背面側から前面側に傾斜するように配置されている。そして、前面側熱交換器１２及び背面側熱交換器１３は、両者の下端部が近接又は接触して設けられている。換言すると、前面側熱交換器１２及び背面側熱交換器１３は、側面視において、空気流れの上流側から下流側に向かって前面側熱交換器１２と背面側熱交換器１３との間が広がるように、風路４内に配置されている。つまり、熱交換器１１は、側面視Ｖ字状となるように風路４内に配置されている。
【００２３】
図２に示すように、前面側熱交換器１２及び背面側熱交換器１３の両側端部には、側面板１５，１６が設けられている。また、前面側熱交換器１２及び背面側熱交換器１３の両側端部には、複数のネジ穴が形成されている。そして、側面板１５，１６に形成された貫通孔に挿入したネジを、前面側熱交換器１２及び背面側熱交換器１３の両側端部のネジ穴にねじ込むことにより、前面側熱交換器１２及び背面側熱交換器１３が側面板１５，１６にネジ止めされている。つまり、大能力型の室内機２００は、前面側熱交換器１２及び背面側熱交換器１３を一体化させて１つの熱交換器ユニット２１０とし、筐体１に取り付けられる構造となっている。なお、熱交換器ユニット２１０が筐体１に取り付けられた状態においては、側面板１５，１６は、風路４の左右側壁となる。
【００２４】
クロスフローファン５は、風路４内において、熱交換器１１よりも空気流れの下流側となる位置、つまり、熱交換器１１よりも上方に配置されている。クロスフローファン５が回転することにより、室内空気が吸込口２から風路４内に吸い込まれる。この室内空気は、冷房運転時、前面側熱交換器１２及び背面側熱交換器１３によって冷却されて空調空気となり、吹出口３から吹き出される。
【００２５】
ドレンパン３０は、前面側熱交換器１２の下端部及び背面側熱交換器１３の下端部の下方に設けられている。このドレンパン３０には、前面側熱交換器１２及び背面側熱交換器１３と対向する側の面に、結露水を受ける凹部３１が形成されている。冷房運転時、室内空気が前面側熱交換器１２及び背面側熱交換器１３によって冷却されて露点に達すると、前面側熱交換器１２及び背面側熱交換器１３に結露水が発生する。この結露水は、フィン間に表面張力によって保持されつつ、重力によって下方に落ちていき、ドレンパン３０の凹部３１に回収されることとなる。
【００２６】
ここで、空気調和機の室内機に要求される冷凍能力の仕様は、様々である。この際、冷凍能力が小さい仕様の室内機に上述の室内機２００を用いた場合、必要以上の能力の熱交換器を用いることとなり、室内機のコストが増大してしまう。このコストの増大を防止するには、要求される冷凍能力毎に、異なる部品で室内機を構成することも考えられる。しかしながら、このようにした場合、部品製作数の低減に伴うコストの増大、及び、部品の管理コストの増大等が発生し、やはり、室内機のコストが増大してしまう。このため、本実施の形態１では、冷凍能力が小さい室内機を以下のように構成して、大能力型の室内機２００の筐体１及び前面側熱交換器１２等を共用つまり共通化し、室内機のコストの増大を抑制する。
【００２７】
図３は、本発明の実施の形態１に係る室内機１００を示す側面縦断面図である。図４は、この室内機１００の熱交換器ユニット１０を示す斜視図である。また、図５は、この室内機１００の遮風板２０を示す斜視図である。
なお、図３に示す本実施の形態１に係る室内機１００は、紙面の左側が前面側となり、紙面の右側が背面側となっている。図４は、室内機１００の背面側から見た熱交換器ユニット１０の斜視図である。図５は、室内機１００の背面側から見た遮風板２０の斜視図である。また、図４及び図５の破線引出線は、紙面裏側の構成を指し示している。
ここで、図３〜５及び以下の図面では、本実施の形態１に係る室内機１００において、大能力型の室内機２００と共用する構成（部品）には、同じ符号を付すこととする。
また、以下では、本実施の形態１に係る室内機１００と大能力型の室内機２００とで共用する構成（部品）については、その説明を省略する。
【００２８】
本実施の形態１に係る室内機１００は、床置形空気調和機の室内機であり、大能力型の室内機２００の背面側熱交換器１３を遮風板２０と置き換えたものである。このため、本実施の形態１に係る室内機１００は、熱交換器１１が前面側熱交換器１２のみで構成されることとなり、大能力型の室内機２００に対して熱交換器１１の容量が小さくなっている。つまり、本実施の形態１に係る室内機１００、及び、大能力型の室内機２００は、筐体１、前面側熱交換器１２及びドレンパン３０を共用している。
【００２９】
本実施の形態１に係る遮風板２０を詳しく説明すると、遮風板２０は、板金（金属製の薄板）又は樹脂等により形成されており、略長方形状の本体部２１を備えている。また、本体部２１の下部には、筐体１の背面側へ突出する接触部２１ａが形成されている。接触部２１ａは、前面側熱交換器１２の背面に接触させる部位である。接触部２１ａを前面側熱交換器１２に接触させて、遮風板２０を風路４内に配置した状態においては、遮風板２０は、全体として、上方から下方にかけて筐体１の背面側から前面側に傾斜するように配置される。つまり、前面側熱交換器１２と共に遮風板２０を側面視すると、前面側熱交換器１２及び遮風板２０は、Ｖ字状となるように風路４内に配置されている。
【００３０】
本体部２１は、左右方向の幅寸法及び高さ寸法が背面側熱交換器１３と同寸法になっている。このため、背面側熱交換器１３を遮風板２０と置き換えることにより、遮風板２０の本体部２１によって、背面側熱交換器１３が設置されていた範囲を閉塞することができる。これにより、吸込口２から風路４内に吸い込まれた室内空気は、実質的に全て、前面側熱交換器１２を通った後に吹出口３から吹き出されることとなる。
【００３１】
また、本実施の形態１に係る室内機１００は、前面側熱交換器１２及び遮風板２０を一体化させて１つの熱交換器ユニット１０とし、筐体１に取り付けられる構造となっている。この際、本実施の形態１に係る室内機１００は、大能力型の室内機２００と側面板１５，１６を共用つまり共通化できるように、遮風板２０を次のように構成している。
【００３２】
詳しくは、遮風板２０の本体部２１における側面板１５と対向する側の側端部には、該本体部２１から筐体１の背面側へ突出する接続部２５が形成されている。また、この接続部２５には、複数のネジ穴２５ａが形成されている。これらネジ穴２５ａの位置は、背面側熱交換器１３における側面板１５と対向する側の側端部に形成されたネジ穴と同位置になっている。
【００３３】
図６は、大能力型の室内機２００の熱交換器ユニット２１０を示す側面図である。また、図７は、本発明の実施の形態１に係る室内機１００の熱交換器ユニット１０を示す側面図である。
図６に示すように、大能力型の室内機２００の熱交換器ユニット２１０においては、側面板１５に形成された貫通孔に挿入したネジ１７を、背面側熱交換器１３の側端部のネジ穴にねじ込むことにより、背面側熱交換器１３が側面板１５にネジ止めされている。一方、図５及び図７からわかるように、本実施の形態１に係る室内機１００の熱交換器ユニット１０においては、側面板１５に形成された貫通孔に挿入したネジ１７を、遮風板２０の接続部２５に形成されたネジ穴２５ａにねじ込むことにより、遮風板２０が側面板１５にネジ止めされている。ネジ穴２５ａの位置が背面側熱交換器１３における側面板１５と対向する側の側端部に形成されたネジ穴と同位置になっているため、本実施の形態１に係る室内機１００と大能力型の室内機２００とにおいて、側面板１５を共用つまり共通化できる。
【００３４】
同様に、図３及び図５に示すように、遮風板２０の本体部２１における側面板１６と対向する側の側端部には、該本体部２１から筐体１の前面側へ突出する接続部２６が形成されている。また、図３に示すように、この接続部２６には、複数のネジ穴２６ａが形成されている。これらネジ穴２６ａの位置は、背面側熱交換器１３における側面板１６と対向する側の側端部に形成されたネジ穴と同位置になっている。このため、本実施の形態１に係る室内機１００と大能力型の室内機２００とにおいて、側面板１６を共用つまり共通化できる。
【００３５】
このように構成された室内機１００で冷房運転を行う場合、クロスフローファン５が回転することにより、室内空気が吸込口２から風路４内に吸い込まれる。そして、この室内空気は、前面側熱交換器１２によって冷却されて空調空気となり、吹出口３から吹き出される。このため、遮風板２０の前面２２、換言すると上面側の面が、前面側熱交換器１２で冷却された後の冷却空気と接することとなる。また、遮風板２０の後面２３、換言すると下面側の面が、風路４内に吸入された室内空気（前面側熱交換器１２で冷却される前の空気）と接することとなる。つまり、遮風板２０の後面２３側に結露水が発生することとなる。
【００３６】
ここで、遮風板２０の後面２３側に発生した結露水は、表面張力によって遮風板２０に保持されている状態においては、そのままの位置に留まるか、あるいは、重力によって遮風板２０にくっついたまま下方へ移動する。しかしながら、結露水に作用する重力が表面張力を上回った際、該結露水は、遮風板２０から離れて下方へ落下してしまう。このため、結露水をドレンパンで回収できずに、室内機１００から室内に結露水が漏れ出すことを防止するには、遮風板２０の下方の全域にわたって、つまり図３に太い二点鎖線で示す範囲にドレンパンを配置しなければならない。しかしながら、このようにドレンパンを配置した場合、遮風板２０を背面側熱交換器１３と置き換えて大能力型の室内機２００にした際、吸込口２から背面側熱交換器１３に導かれる室内空気を当該ドレンパンが遮ってしまい、背面側熱交換器１３で室内熱交換器を冷却することができない。つまり、本実施の形態１に係る室内機１００と大能力型の室内機２００とにおいて、筐体１及び前面側熱交換器１２等を共通化できない。
【００３７】
そこで、本実施の形態１に係る室内機１００の遮風板２０は、後面２３に結露水の落下を防止する防止構造を有する構成となっている。詳しくは、図３及び図４に示すように、遮風板２０の後面２３のうち、ドレンパン３０の凹部３１の後端部３１ａよりも後方となる範囲を、範囲２３ａと定義する。また、遮風板２０の後面２３のうち、ドレンパン３０の凹部３１の後端部３１ａよりも前方となる範囲を、つまり凹部３１の上方に位置する範囲を範囲２３ｂと定義する。本実施の形態１に係る遮風板２０は、上記防止構造として、範囲２３ａに断熱材４１が設けられている。断熱材４１は、例えばスポンジのような発泡体である。
【００３８】
このように範囲２３ａに断熱材４１を設けることにより、範囲２３ａにおいては、風路４内に吸入された室内空気（前面側熱交換器１２で冷却される前の空気）が断熱材４１に接することになるため、該室内空気が露点に達することを防止でき、結露が発生することを防止できる。このため、本実施の形態１に係る室内機１００と大能力型の室内機２００とにおいてドレンパン３０を共用つまり共通化できる。つまり、遮風板２０の下方の全域にわたってドレンパンを配置する必要がなく、本実施の形態１に係る室内機１００と大能力型の室内機２００とにおいて、筐体１及び前面側熱交換器１２等を共通化することができる。
【００３９】
なお、範囲２３ｂに発生した結露水は、自然落下あるいは遮風板２０にくっついたまま下方へ移動し、ドレンパン３０の凹部３１に回収される。ここで、範囲２３ｂにも、断熱材４１を設けてもよい。これにより、結露水をドレンパン３０で回収できずに、室内機１００から室内に結露水が漏れ出すことをより防止できる。一方、範囲２３ｂに断熱材４１を設けない構成にすることにより、遮風板２０の製造コスト、つまり室内機１００の製造コストを低減することができる。
【００４０】
実施の形態２．
実施の形態１では、結露水の落下を防止する防止構造として断熱材４１を用いた。しかしながら、本発明に係る防止構造は、断熱材４１に限定されるものではない。本発明に係る防止構造として、以下のような構成を用いてもよい。なお、本実施の形態２において、特に記述しない項目については実施の形態１と同様とし、同一の機能や構成については同一の符号を用いて述べることとする。
【００４１】
図８は、本発明の実施の形態２に係る室内機１００を示す側面縦断面図である。
なお、図８に示す本実施の形態２に係る室内機１００は、紙面の左側が前面側となり、紙面の右側が背面側となっている。
【００４２】
本実施の形態２に係る室内機１００の遮風板２０は、結露水の落下を防止する防止構造として、範囲２３ａに吸水材４２が設けられている。吸水材４２は、例えば、表面に起毛処理が施されている部材である。
【００４３】
このように範囲２３ａに吸水材４２を設けることにより、範囲２３ａに結露水が発生した場合、該結露水を吸水材４２で保持しておくことができ、結露水が落下することを防止できる。このため、本実施の形態２に係る室内機１００においても、大能力型の室内機２００とドレンパン３０を共用つまり共通化できる。つまり、遮風板２０の下方の全域にわたってドレンパンを配置する必要がなく、本実施の形態２に係る室内機１００と大能力型の室内機２００とにおいて、筐体１及び前面側熱交換器１２等を共通化することができる。
【００４４】
なお、範囲２３ｂにも、吸水材４２を設けてもよい。これにより、結露水をドレンパン３０で回収できずに、室内機１００から室内に結露水が漏れ出すことをより防止できる。一方、範囲２３ｂに吸水材４２を設けない構成にすることにより、遮風板２０の製造コスト、つまり室内機１００の製造コストを低減することができる。
【００４５】
実施の形態３．
本発明に係る防止構造として、以下のような構成を用いてもよい。なお、本実施の形態３において、特に記述しない項目については実施の形態１又は実施の形態２と同様とし、同一の機能や構成については同一の符号を用いて述べることとする。
【００４６】
図９は、本発明の実施の形態３に係る室内機における、遮風板２０の後面２３の範囲２３ａを示す要部拡大図である。この図９は、範囲２３ａの一部を斜視図で表している。
【００４７】
本実施の形態３に係る室内機１００の遮風板２０は、結露水の落下を防止する防止構造として、範囲２３ａに、上下方向に沿って形成された複数の溝４３が形成されている。これら溝４３は、筐体１の左右方向つまり横方向に並んで配置されている。これらの溝４３は、遮風板２０の形成時に形成することができる。例えば、板金性の遮風板２０の場合、板金を例えばプレス加工して遮風板２０の形状に加工する際、同時に溝４３を形成することができる。また例えば、樹脂製の遮風板２０の場合、圧縮成形又は射出形成等によって樹脂を遮風板２０の形状に加工する際、同時に溝４３を形成することができる。
【００４８】
このように範囲２３ａに複数の溝４３を設けることにより、範囲２３ａに結露水が発生した場合、水滴が一つに凝集する性質である表面張力を利用して、溝４３に着露水を集め、溝４３を伝わらせて結露水を確実にドレンパン３０で回収することが可能となる。
【００４９】
なお、範囲２３ｂにも、複数の溝４３を設けてもよい。これにより、結露水をドレンパン３０で回収できずに、室内機１００から室内に結露水が漏れ出すことをより防止できる。
【００５０】
実施の形態４．
実施の形態１及び実施の形態２で示したように、結露水の落下を防止する防止構造として断熱材４１又は吸水材４２を採用する場合、範囲２３ｂにも断熱材４１又は吸水材４２を設けることにより、室内機１００から室内に結露水が漏れ出すことをより防止できる一方、遮風板２０の製造コストつまり室内機１００の製造コストが増加してしまう。そこで、範囲２３ａに設ける上記防止構造として断熱材４１又は吸水材４２を採用する場合、範囲２３ｂに設ける上記防止構造として、以下の構成を採用してもよい。なお、本実施の形態４において、特に記述しない項目については実施の形態１〜実施の形態３のいずれかと同様とし、同一の機能や構成については同一の符号を用いて述べることとする。
【００５１】
図１０は、本発明の実施の形態４に係る室内機１００の熱交換器ユニット１０を示す斜視図である。
なお、図１０は、室内機１００の背面側から見た熱交換器ユニット１０の斜視図である。
【００５２】
本実施の形態４に係る室内機１００の遮風板２０は、結露水の落下を防止する防止構造として、範囲２３ａに、断熱材４１又は吸水材４２が設けられている。また、本実施の形態４に係る室内機１００の遮風板２０は、結露水の落下を防止する防止構造として、範囲２３ｂに、上下方向に沿って形成された複数の溝４３が形成されている。
【００５３】
実施の形態３で説明したように、溝４３は、遮風板２０の形成時に形成することができる。つまり、範囲２３ｂに溝４３を形成しても、当該溝４３を形成したことによるコストの増大は発生しない。このため、本実施の形態４のように遮風板２０を構成することにより、遮風板２０の製造コストつまり室内機１００の製造コストの増加を防止しつつ、室内機１００から室内に結露水が漏れ出すことをより確実に防止できる。
【００５４】
以上、上記の実施の形態１〜実施の形態４では、範囲２３ａに、断熱材４１、吸水材４２及び溝４３のうちの一種類の防止構造を設けた。これに限らず、範囲２３ａに、断熱材４１、吸水材４２及び溝４３のうちの二種類以上の防止構造を設けても、本発明を実施することができる。同様に、範囲２３ｂに、断熱材４１、吸水材４２及び溝４３のうちの二種類以上の防止構造を設けても、本発明を実施することができる。
【符号の説明】
【００５５】
１  筐体、２  吸込口、３  吹出口、４  風路、５  クロスフローファン、１０  熱交換器ユニット、１１  熱交換器、１２  前面側熱交換器、１３  背面側熱交換器、１５  側面板、１６  側面板、１７  ネジ、２０  遮風板、２１  本体部、２１ａ  接触部、２２  前面、２３  後面、２３ａ  範囲、２３ｂ  範囲、２５  接続部、２５ａ  ネジ穴、２６  接続部、２６ａ  ネジ穴、３０  ドレンパン、３１  凹部、３１ａ  後端部、４１  断熱材、４２  吸水材、４３  溝、１００  室内機、２００  室内機（大能力型）、２１０  熱交換器ユニット。
【図１】
2017042937.tif 000003
【図２】
2017042937.tif 000004
【図３】
2017042937.tif 000005
【図４】
2017042937.tif 000006
【図５】
2017042937.tif 000007
【図６】
2017042937.tif 000008
【図７】
2017042937.tif 000009
【図８】
2017042937.tif 000010
【図９】
2017042937.tif 000011
【図１０】
2017042937.tif 000012
【国際調査報告】
2017042937.tif 000013
2017042937.tif 000014
2017042937.tif 000015
2017042937.tif 000016